(57)【要約】【課題】メンテナンスポートに出力される情報を選択して指定可能なテレビジョンおよび電気電子機器を提供する。【解決手段】  液晶テレビジョン１００において、マイコン２６は自身の処理関数の情報、映像処理ＩＣ１２〜１８の応答情報、電源回路２４やインバータ回路２３の電圧ステータス等の状態情報を取得しており、これら取得した情報を目的別もしくはレベル別に分類する。そして、利用者が操作入力を行って出力する状態情報を目的もしくはレベルで指定することにより、何れかの目的に合致した状態情報のみ、もしくは何れかのレベル異常の状態情報のみをポート３２に対して出力する。【選択図】図５
2008182575.tif 000002
【特許請求の範囲】
【請求項１】
入力されたテレビ放送信号から所要の信号を受信して中間周波信号に変換して出力するチューナと、上記チューナから入力された中間周波信号から映像信号を抽出してＲＧＢで表現されるデジタル映像信号を生成して出力する第一の映像処理ＩＣと、アナログ映像信号入力端子から入力される映像信号からＲＧＢで表現されるデジタル映像信号を生成して出力する第二の映像処理ＩＣと、デジタル映像信号入力端子から入力される映像信号からＲＧＢで表現されるデジタル映像信号を生成して出力する第三の映像処理ＩＣと、上記第一の映像処理ＩＣと上記第二の映像処理ＩＣと上記第三の映像処理ＩＣのいずれかから出力されたデジタル映像信号に画素数変換と、画質調整と、出力処理とを行って出力する第四の映像処理ＩＣと、上記第四の映像処理ＩＣから出力されるデジタル映像信号に基づく映像を画面に表示する表示パネルと、上記表示パネルに駆動電圧を供給する駆動電圧生成回路と、ＣＰＵとＲＯＭとＲＡＭを備えてＲＯＭに記憶された制御プログラムをＲＡＭをワークエリアとしつつＣＰＵにて実行するマイコンと、外部から所定の商用電源が一次側に入力されており、入力された電圧をトランスにて所望の電圧に変換して二次側に出力し、上記チューナと上記第一の映像処理ＩＣと上記第二の映像処理ＩＣと上記第三の映像処理ＩＣと上記第四の映像処理ＩＣと上記駆動電圧生成回路と上記マイコンに電源電圧を供給する電源回路と、上記マイコンとシリアル通信可能に接続されており、外部機器を接続可能なメンテナンスポートと、利用者の操作入力を受け付ける操作入力機器と、を備え、
上記マイコンが、上記電源回路の入力電圧や出力電圧を示す情報と、上記駆動電圧生成回路の出力電圧を示す情報と、上記第一の映像処理ＩＣの応答情報と、上記第二の映像処理ＩＣの応答情報と、上記第三の映像処理ＩＣの応答情報と、上記第四の映像処理ＩＣの応答情報と、該マイコンが何れの関数で処理を行っているかの情報と、を状態情報として取得して上記メンテナンスポートに出力するテレビジョンにおいて、
上記マイコンはレジスタを備えており、
上記マイコンは、上記状態情報の何れを上記メンテナンスポートに出力するかをレベル別もしくは目的別に選択させる画面を表示し、上記操作入力機器にて選択入力されたレベルもしくは目的に応じて出力させる状態情報を上記レジスタに設定し、
上記マイコンは上記レジスタの設定を取得し、上記レジスタの設定がレベルによって出力する状態情報を選択する設定の場合は、取得した状態情報のレベルを判断して所定のレベル以上と判断された状態情報のみを上記メンテナンスポートに出力し、上記レジスタの設定が目的によって出力する状態情報を選択する設定の場合は、取得した状態情報の種類を判断して設定された目的に合致する状態情報のみを上記メンテナンスポートに出力することを特徴とするテレビジョン。
【請求項２】
機器を構成する各部と通信して複数の状態情報を取得する状態情報取得手段と、外部機器を接続する接続端子に上記状態情報を出力する状態情報出力手段と、を備える電気電子機器において、
上記複数の状態情報のうちの何れかを選択する選択入力を操作入力機器から受け付ける操作入力受付手段と、操作入力受付手段にて受け付けた状態情報のみを上記状態情報出力手段に出力させる出力情報選択手段と、を備えることを特徴とする電気電子機器。
【請求項３】
上記出力情報選択手段は、電気電子機器のメンテナンスや開発における目的別に上記状態情報を分類して分類毎に選択させることを特徴とする上記請求項２に記載の電気電子機器。
【請求項４】
上記出力情報選択手段は、電気電子機器のメンテナンスや開発におけるレベル別に上記状態情報を分類して分類毎に選択させることを特徴とする上記請求項２または請求項３に記載の電気電子機器。
【発明の詳細な説明】
【技術分野】
【０００１】
本発明は、外部機器を接続可能な端子に対して機器を構成する各部の状態情報を出力し、該端子に接続された外部機器が状態情報を取得可能としているテレビジョンおよび電気電子機器に関する。
【背景技術】
【０００２】
現在、テレビ受信機を含む多くの電気電子機器には、制御部（マイコン等）とのシリアル通信が可能なメンテナンスポートが搭載されている。マイコンには機器を制御するための制御プログラムが記憶されており、メンテナンスポートにメンテナンス用の機器を接続して制御プログラムの不具合の修正やアップデートが行われる。またマイコンは、機器の各部から電源関係のステータス、各ＩＣからの応答情報、マイコンで実行されているプログラムがどの関数にいるか、等のデバッグ情報を取得しており、取得したデバッグ情報をメンテナンスポートに出力している。
【０００３】
このように機器内部の各種情報を端子に対して出力し、外部機器を接続することによりこの各種情報を取得可能とすることについて、特許文献１〜３に記載されている。例えば、特許文献１には、装置本体の動作時に使用する各種パラメータの調整値を映像信号にエンコードして外部出力端子に出力する映像機器について記載されている。また特許文献２、３には音声信号をスピーカに出力する音声出力端子を利用して検査を行ったり、メンテナンスポートとして利用することについて記載されている。
【特許文献１】特開２００３−２３６４７号公報
【特許文献２】特開２００４−３４０９１９号公報
【特許文献３】特開２００５−１９７８５８号公報
【発明の開示】
【発明が解決しようとする課題】
【０００４】
従来においては、マイコンはデバッグ情報の全てを出力する構成となっていた。しかしながら、常時全てのデバッグ情報を出力すると、このデバッグ情報を出力する処理を実行している制御部（マイコン）の負荷が大きくなり、他の処理の妨げになりかねない。また全てのデバッグ情報が出力されていると、メンテナンスやデバッグを行う作業者は必要な情報を探し出す必要があり、異常情報の的確な取得が難しく、不具合の検出効率が悪くなってしまっていた。従って、デバッグ情報から作業者の所望の情報のみを出力できるようにすることが求められていた。
【０００５】
本発明は、上記課題に鑑みてなされたもので、メンテナンスポートに出力される情報を選択して指定可能なテレビジョンおよび電気電子機器の提供を目的とする。
【課題を解決するための手段】
【０００６】
上記課題を解決するために、本発明では、状態情報取得手段と状態情報出力手段とを備える電気電子機器において操作入力受付手段と出力情報選択手段とを備える構成としてある。即ち、状態情報取得手段が機器を構成する各部と通信して該各部から複数の状態情報を取得し、状態情報出力手段が外部機器を接続する接続端子に上記状態情報を出力する。そして、操作入力受付手段が上記複数の状態情報のうちの何れかを選択する選択入力を操作入力機器から受け付けて、出力情報選択手段は操作入力受付手段が受け付けた状態情報のみを上記状態情報出力手段に出力させる。この出力された状態情報は、外部のメンテナンス機器によって取得され、このメンテナンス機器の画面（表示パネル）に表示されることによりメンテナンス者や開発者が電気電子機器の状態を把握可能となる。
【０００７】
各部とは、商用電源などの外部から供給された電源電圧を所定の電圧に変換して各種電源電圧を供給する電源や、電気電子機器を制御する制御部や、制御部の命令に従って各種の信号処理を実行するＩＣ等である。通信とは、双方向通信であっても一方方向通信であっても良い。例えば電圧値を回路にて所定割合に低下させた電圧信号等も含みうる。
【０００８】
状態情報とは、電圧値、応答内容、応答の有無、ソフトウェアが出力するステータス、等であり、例えばＩＣに対して発したコマンドに対する応答（もしくは応答の有無）、回路の所定部分における電圧に対応する電圧情報、制御部において実行されているプログラムの現在の処理工程や実行中の関数名、等、である。複数の状態情報とは、状態情報は少なくとも２つ以上の情報であり、出力される情報と非出力されない情報とが同時に存在する。つまり必要な情報のみを出力しつつ不要な情報を出力させない、という状況が存在することを意味する。
【０００９】
そして、上記出力情報選択手段は、電気電子機器のメンテナンスや開発における目的別に上記状態情報を分類して分類毎に選択させる構成としても良い。即ち、必要な情報と不要な情報の切り分け方として、メンテナンスや開発においてメンテナンス者や開発者がまとめて取得したい情報を目的別に選択可能にする。よってメンテナンス機器には必要な目的に合致する情報のみが取得され、メンテナンス者や開発者は必要な情報のみを把握することが可能となる。よって不具合内容の検知効率が高まり、サービス・修理・ＱＣ（Quality Control）検査などでの不良解析等の効率が向上する。また、外部に出力される状態情報の量は減るため、状態情報を外部に出力する処理が軽くなり、電気電子機器のシステムの安定性が向上する。
【００１０】
さらに、上記出力情報選択手段は、電気電子機器のメンテナンスや開発におけるレベル別に上記状態情報を分類して分類毎に選択させる構成としてもよい。即ち、必要な情報と不要な情報の切り分け方として、状態情報のレベル（深刻度、対応の緊急性、状態の危険度）別に出力させるか否かを選択可能とする。よってメンテナンス機器は、対応が急がれる状態、それほど対応が急がれないが解決すべき状態、解決しなくとも良いが出来れば対応したほうがよい状態、等のレベルに応じて状態情報を取得することになり、メンテナンス者や開発者はレベル別の状態情報を把握することが可能となる。よって不具合内容の検知効率が高まり、サービス・修理・ＱＣ（Quality Control）検査などでの不良解析等の効率が向上する。また、外部に出力される状態情報の量は減るため、状態情報を外部に出力する処理が軽くなり、電気電子機器のシステムの安定性が向上する。
【００１１】
さらに、より具体的な構成例として、入力されたテレビ放送信号から所要の信号を受信して中間周波信号に変換して出力するチューナと、上記チューナから入力された中間周波信号から映像信号を抽出してＲＧＢで表現されるデジタル映像信号を生成して出力する第一の映像処理ＩＣと、アナログ映像信号入力端子から入力される映像信号からＲＧＢで表現されるデジタル映像信号を生成して出力する第二の映像処理ＩＣと、デジタル映像信号入力端子から入力される映像信号からＲＧＢで表現されるデジタル映像信号を生成して出力する第三の映像処理ＩＣと、上記第一の映像処理ＩＣと上記第二の映像処理ＩＣと上記第三の映像処理ＩＣのいずれかから出力されたデジタル映像信号に画素数変換と、画質調整と、出力処理とを行って出力する第四の映像処理ＩＣと、上記第四の映像処理ＩＣから出力されるデジタル映像信号に基づく映像を画面に表示する表示パネルと、上記表示パネルに駆動電圧を供給する駆動電圧生成回路と、ＣＰＵとＲＯＭとＲＡＭを備えてＲＯＭに記憶された制御プログラムをＲＡＭをワークエリアとしつつＣＰＵにて実行するマイコンと、外部から所定の商用電源が一次側に入力されており、入力された電圧をトランスにて所望の電圧に変換して二次側に出力し、上記チューナと上記第一の映像処理ＩＣと上記第二の映像処理ＩＣと上記第三の映像処理ＩＣと上記第四の映像処理ＩＣと上記駆動電圧生成回路と上記マイコンに電源電圧を供給する電源回路と、上記マイコンとシリアル通信可能に接続されており、外部機器を接続可能なメンテナンスポートと、利用者の操作入力を受け付ける操作入力機器と、を備え、上記マイコンが、上記電源回路の入力電圧や出力電圧を示す情報と、上記駆動電圧生成回路の出力電圧を示す情報と、上記第一の映像処理ＩＣの応答情報と、上記第二の映像処理ＩＣの応答情報と、上記第三の映像処理ＩＣの応答情報と、上記第四の映像処理ＩＣの応答情報と、該マイコンが何れの関数で処理を行っているかの情報と、を状態情報として取得して上記メンテナンスポートに出力するテレビジョンにおいて、上記マイコンはレジスタを備えており、上記マイコンは、上記状態情報の何れを上記メンテナンスポートに出力するかをレベル別もしくは目的別に選択させる画面を表示し、上記操作入力機器にて選択入力されたレベルもしくは目的に応じて出力させる状態情報を上記レジスタに設定し、上記マイコンは上記レジスタの設定を取得し、上記レジスタの設定がレベルによって出力する状態情報を選択する設定の場合は、取得した状態情報のレベルを判断して所定のレベル以上と判断された状態情報のみを上記メンテナンスポートに出力し、上記レジスタの設定が目的によって出力する状態情報を選択する設定の場合は、取得した状態情報の種類を判断して設定された目的に合致する状態情報のみを上記メンテナンスポートに出力する構成としてある。
【発明の効果】
【００１２】
以上説明したように本発明によれば、メンテナンス者や開発者が機器の異常情報をより的確に取得可能となって不具合内容の検知効率が向上する。この結果、サービス・修理・ＱＣ検査等での不良解析等の効率が向上する。また出力する状態情報を制限することにより、システムの安定性が向上する。
また請求項３にかかる発明によれば、メンテナンス者や開発者が目的に合った状態情報のみを取得可能となり、利便性が向上すると共に、不具合内容の検知効率がさらに向上する。
そして請求項４にかかる発明によれば、メンテナンス者や開発者がレベル別に状態情報を取得可能となり、利便性が向上すると共に、不具合内容の検知効率がさらに向上する。
さらに請求項１のような、より具体的な構成において、上述した請求項２〜請求項４の各発明と同様の作用効果を奏することはいうまでもない。
【発明を実施するための最良の形態】
【００１３】
以下、下記の順序に従って本発明の実施形態を説明する。
（１）テレビ受信機の構成：
（２）状態情報選択処理：
（３）状態情報取得処理：
（４）まとめ： 
【００１４】
（１）テレビ受信機の構成： 
以下、図１〜図２を参照して、本発明の実施形態に係る電気電子機器としての液晶テレビジョン１００の構成について図面を参照して説明する。図１は液晶テレビジョンの概略電気的構成を示すブロック図である。
【００１５】
図１において、液晶テレビジョン１００は、チューナ１０、映像処理ＩＣ１２，１４，１６，１８、液晶パネル２０、バックライト２２、インバータ回路２３、電源回路２４、マイコン２６、操作パネル２８、赤外線Ｉ／Ｆ（Interface）３０、メンテナンスポート（以下ポートと略す。）３２、ＩＩＣバス（Inter-IC bus）３４、から構成されている。ＩＩＣバス３４はチューナ１０と映像処理ＩＣ１２，１４，１６，１８とマイコン２６とを互いに通信可能に接続している。
【００１６】
液晶テレビジョン１００の各部（チューナ１０、映像処理ＩＣ１２，１４，１６，１８、液晶パネル２０、インバータ回路２３、マイコン２６、操作パネル２８、赤外線Ｉ／Ｆ３０等）には、電源回路２４から動作電圧が供給されている。この電源回路２４では、所定の商用電源（例えば、ＡＣ１００Ｖ）が一次側に入力されており、この入力電圧を所望の電圧に変換して二次側に出力する。この一次から二次への変換はトランスにて行われる。二次側の電圧はトランスやレギュレータや発振回路等により各種電圧に変換され、各部の仕様に適合する電圧が動作電圧として各部に供給される。
【００１７】
チューナ１０は、テレビ放送信号の入力源としてアンテナ１０ａを接続可能であり、マイコン２６の制御によりテレビ放送帯域に対応した所望周波数の信号に同調しつつ受信するとともに、受信した信号から所要の信号だけを選択して高周波増幅し、中間周波信号に変換して出力する。
【００１８】
映像処理ＩＣ１２（第一の映像処理ＩＣ）はチューナ１０から入力された中間周波信号から映像信号と音声信号とを抽出し、Ｒ（赤）Ｇ（緑）Ｂ（青）で表現されるデジタル映像信号とデジタル音声信号に変換して、変換したデジタル映像信号を映像処理ＩＣ１８に出力し、デジタル音声信号を図示しない音声処理ＩＣに出力する。
【００１９】
映像処理ＩＣ１４（第二の映像処理ＩＣ）はコンポジット端子やコンポーネント端子等のアナログ映像信号入力端子１４ａと接続されており、このアナログ映像信号入力端子１４ａから映像信号が入力可能となっている。映像処理ＩＣ１４は入力された映像信号からＲＧＢで表現されるデジタル映像信号を生成して映像処理ＩＣ１８に出力する。
【００２０】
映像処理ＩＣ１６（第三の映像処理ＩＣ）にはＨＤＭＩ（登録商標）端子等のデジタル映像信号入力端子１６ａに接続されており、このデジタル映像信号入力端子１６ａからデジタル映像信号が入力されている。映像処理ＩＣ１６は入力されたデジタル映像信号からＲＧＢで表現されるデジタル映像信号を生成して映像処理ＩＣ１８（第四の映像処理ＩＣ）に出力する。
【００２１】
映像処理ＩＣ１２，１４，１６はマイコン２６の制御に従って何れか１つの映像処理ＩＣからデジタル映像信号が出力される。これにより液晶テレビジョン１００の画面には、アンテナ１０ａとアナログ映像信号入力端子１４ａとデジタル映像信号入力端子１６ａの何れかから入力される映像信号に基づく映像が表示される。無論、映像信号を入力する端子の数が増えれば端子の数に対応して映像処理ＩＣを追加してもよい。
【００２２】
映像処理ＩＣ１８には、映像処理ＩＣ１２，１４，１６の何れか１つからデジタル映像信号が供給される。映像処理ＩＣ１８は、画素数変換回路と、画質調整回路と、出力処理回路とを有しており、入力される映像信号に所定の信号処理を行って液晶パネル２０に出力する。画素数変換回路は映像信号が入力されると、映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、ＯＳＤ信号、ブランキング信号等を付加して液晶パネル２０に出力し、画像を表示させる。
【００２３】
液晶パネル２０（表示パネル）は、パネル本体とこのパネル本体を駆動する駆動回路とから構成され、映像処理ＩＣ１８から入力される映像信号に基づいて駆動回路が駆動信号を生成し、この駆動信号によりパネル本体の各画素が駆動される。無論、映像を表示する表示器としては液晶パネルに限るものではなく、プラズマディスプレイパネル（ＰＤＰ）やＣＲＴ等も採用可能である。表示機としてＰＤＰを採用した場合は後述の駆動電圧生成回路としてアドレス電圧やスキャン電圧や消去電圧やサステイン電圧等を生成する回路が該当し、ＣＲＴを採用した場合は後述の駆動電圧生成回路として垂直偏向回路や水平偏向回路や高圧回路や偏向コイルが該当する。
【００２４】
リモコン１５０は操作を受け付ける複数のキーと、リモコン信号を赤外線Ｉ／Ｆ３０に向けて送信するリモコン送信回路とを有し、複数のキーの操作に応じたリモコン信号をパルスで表現した所定のフォーマットで送出する。すると赤外線Ｉ／Ｆ３０が赤外線受光部にてリモコン信号を受信してマイコン２６に入力し、マイコン２６がリモコン信号を受け付けて対応する制御処理を実行する。
【００２５】
操作パネル２８は操作を受け付ける複数のキーを備えており、複数のキーの操作に応じた操作信号をマイコン２６に入力し、マイコン２６が入力された操作信号に対応した制御処理を実行する。
【００２６】
例えば、リモコン１５０や操作パネル２８で所望のチャンネルを受信させるべく操作すると、操作に対応する信号をマイコン２６が受信し、対応するチャンネルを受信させるように周波数データをチューナ１０に送出する。これらリモコン１５０と赤外線Ｉ／Ｆ３０の組合せや操作パネル２８が操作入力機器を構成し、この操作入力機器から選択入力を受け付けるマイコン２６が操作入力受付手段を構成する。
【００２７】
インバータ回路２３（駆動電圧生成回路）は電源回路２４から直流電圧を供給されている。そして、供給された直流電圧を他励式や自励式の発振回路で高圧・高周波の交流電圧に変換して、この交流電圧（駆動電圧）をバックライト２２に供給する。バックライト２２は、放電灯としての複数の蛍光管を有し、交流電圧を供給されて発光して液晶パネル２０を背面から照射する光源の役割を果たす。無論、これらバックライト２２としてＬＥＤを採用して、インバータ回路２３から直流電圧が供給されるように構成しても構わない。
【００２８】
マイコン２６は、ＣＰＵ２６ａとＲＯＭ２６ｂとＲＡＭ２６ｃとレジスタ２６ｄとを備えており、ＲＯＭ２６ｂに記憶された各種プログラムをＲＡＭ２６ｃをワークエリアとしつつＣＰＵ２６ａで実行して、液晶テレビジョン１００全体を制御する。またマイコン２６は、ＩＩＣバス３４を介してチューナ１０や映像処理ＩＣ１２，１４，１６，１８と通信して各種の応答を得ている（応答情報）。また、マイコン２６は複数のＩ／Ｏポートを備えており、これらのＩ／Ｏポートを介して、リモコン１５０や操作パネル２８やインバータ回路２３や電源回路２４からの入力を受け付けたり、インバータ回路２３や電源回路２４に制御信号を出力している。
【００２９】
またマイコン２６はインバータ回路２３や電源回路２４に制御信号を出力するとともに電圧入力ラインや電圧出力ラインの電圧を所定割合に降下して取得している（電圧ステータス）。さらにマイコン２６は、自身の実行するプログラムにおいて、処理のどのステップを実行中であるかやどの関数を実行中であるかを示す情報（マイコンの処理情報）を出力可能となっている。本実施形態においては、これら応答情報と電圧ステータスとマイコンの処理情報とを合わせて状態情報とする。この状態情報を取得するマイコン２６が状態情報取得手段を構成する。
【００３０】
レジスタ２６ｄにはいずれの状態情報を出力するかの設定値が記憶されており、マイコン２６ではこの設定値に従って状態情報を出力する否かを判断して、出力すると設定されている状態情報のみをポート３２に出力することになる。
【００３１】
ポート３２の端子（接続端子）は、例えばＤ−ｓｕｂ９ピンコネクタが採用可能であり、ＵＡＲＴ（Universal Asynchronous Receiver/Transmitter）でマイコン２６と接続されてシリアル通信可能になっている。このポート３２にはマイコン２６から状態情報が出力されており、このポート３２にＰＣ２００等のメンテナンス機器を接続することにより、ＰＣ２００が状態情報を取得できる。ＰＣ２００は取得した状態情報に所定の処理を行って画面に表示して、ＰＣ２００の使用者が画面を視認して状態情報を把握可能とする。この状態情報は液晶テレビジョン１００のメンテナンスや開発時のデバッグに利用される。
【００３２】
メンテナンスを行う場合は、ＰＣ２００の画面に表示された状態情報を見て液晶テレビジョン１００の内部情報を把握し、問題点を把握する。例えばマイコン２６で実行される処理が特定の関数で停滞していたり出力電圧が異常に変化していたりする場合は、マイコン２６のＲＯＭ２６ｂに記憶されている制御プログラムのデバッグを行って、ポート３２からＲＯＭ２６ｂの書換を行って制御プログラムのアップデートを行う。また映像処理ＩＣからの応答がない場合は、映像処理ＩＣをリセットする信号をポート３２に入力したり、マイコン２６に映像処理ＩＣのリセット信号を出力させたりする。
【００３３】
開発段階においては、開発者がこれら状態情報から問題点を把握し、回路設計やプログラム開発に利用する。例えば出力電圧が異常に変化している場合は、回路素子の値の調整、保護回路の挿入、フィードバック回路の追加や変更、等を行って異常な変化が生じないようにする。また、マイコン２６で実行される制御プログラムが特定の処理ステップや特定の関数でエラー終了したり無限ループに陥ったりする場合は、制御プログラムの変更や、エラーの原因となる情報を出力する回路の設計変更等によりデバッグ行う。
【００３４】
このように状態情報はメンテナンスや開発に非常に有益であるが、状態情報が多岐にわたる場合は、メンテナンスや開発に必ずしも常に全ての状態情報が必要なわけではない。また、多くの情報を取得して出力する処理を行うと、それだけマイコン２６の処理能力が状態情報の出力処理に割かれることになり、システムの安定性を損ないかねない。また、メンテナンス者や開発者の必要とする情報は状態情報の全てではないため、全ての情報が出力されているとメンテナンス者や開発者が多岐にわたる情報から必要な情報を探し出すための手間や能力を要求されたり、もしくはメンテナンス機器に特別な状態情報をフィルタリングするプログラムが必要となったりしていた。
【００３５】
（２）状態情報選択処理： 
以下、図２〜図４を参照して何れの状態情報を出力するかを選択するマイコン２６の処理を説明する。図２は出力する状態情報を選択するマイコン２６の処理を示すフローチャート、図３はこの処理において表示される選択画面の一例、図４は各状態情報のレベルと種類の分類のしかたの一例である。図２の処理は液晶テレビジョン１００の電源が投入されてマイコン２６が液晶テレビジョン１００の制御処理を実行している間は繰り返し実行されている。
【００３６】
図２の処理が開始されると、ステップＳ１００で選択処理を開始する命令が入力されたか否かを判断する。選択処理を開始する命令とは、隠しコマンドやメニュー画面の所定の項目の選択入力等である。選択処理を開始する命令が入力された場合は条件成立としてステップＳ１０２に進み、入力されない場合は条件不成立として本処理を終了する。
【００３７】
ステップＳ１０２では、出力項目の選択画面を表示する。選択画面としては例えば図３のような画面であり、「デバッグ情報出力レベル変更」というタイトルと、どの情報を出力するがを選択する選択項目とが表示されている。表示される選択項目は、大別すると、全ての状態情報を出力する項目の「ＮＯＲＭＡＬ」と、レベル別に指定する項目と、目的別に指定する項目と、がある。
【００３８】
状態情報は、例えば図４のように目的別、レベル別に分類されている。
【００３９】
近年の製品開発では、各部位の開発はそれぞれの担当者（担当部署）が個別に行っており、デバッグにおいてはそれぞれの担当者は自らが開発を担当した部位の情報とそれに関連する部位の情報のみを取得したい場合がある。また、メンテナンスにおいても、原因となる部位が推定されている場合は、特定の部位のみの情報さえ取得できれば良い。このような場合に目的別の指定を行って、特定の回路種類毎や特定の処理種類毎の情報を出力させると好適である。
【００４０】
目的別に指定する項目では、「インバータ回路（バックライト電圧）」や「電源回路（一次電圧）」や「電源回路（二次電圧）」等が「電源関係」に該当し、映像処理ＩＣ１２，１４，１６，１８の情報が「映像関係」に該当し、画素数変換回路からの応答が「スケーラ関係」に該当し、マイコン２６の制御処理において実行中の「処理関数」が「マイコン関係」該当する。
そして目的別に指定する項目では、「電源関係」、「映像処理関係」、「スケーラ」、「マイコン」等、のようにメンテナンス者や開発者が希望の部位や処理単位毎にまとめて状態情報を指定可能となっている。レベル別に指定する項目では、レベルが上がると、より深刻な情報のみを出力するようになっており、例えばレベル「１」では注意すべき値や状態を示す情報から危険な値や状態を示す情報までを表示するようになっており、レベル「２」では緊急に対処が必要な値や状態を示す情報から危険な値や状態を示す情報までを表示するようになっており、レベル「３」では危険な値や状態を示す情報のみを表示するようになっている。無論、レベル別に指定する場合は、閾値以上の情報を出力するのではなく、所定の範囲内の情報のみを出力する構成としても構わない。
【００４１】
また、メンテナンスや開発において、深刻なエラーや不具合に対する対処が優先されるのが普通であり、レベル別に表示することにより、優先順位の高いメンテナンスや設計変更を優先して実行しやすくなる。
【００４２】
レベル別に指定する項目としては、「１」、「２」、「３」等となっており、例えば電源関係では、レベル「１」が選択されると所定の第一閾値以上の電圧が検出されるとその状態情報を出力し、レベル「２」が選択されると所定の第二閾値以上の電圧が検出されるとその状態情報を出力し、レベル「３」が選択されると所定の第三閾値以上の電圧が検出されるとその状態情報を出力する（第一閾値＜第二閾値＜第三閾値）。つまり、出力電圧や入力電圧の値で電源状態の異常を検知する。無論、電圧の低下についてもそれぞれ閾値を設けて、状態の深刻さを判別してもよい。
【００４３】
また映像関係やスケーラ関係では、レベル「１」が選択されると応答時間ｔ１以上のときにその状態情報を出力し、レベル「２」が選択されると応答時間ｔ２以上の時にその状態情報を出力し、レベル「３」が選択されると応答無しのときにその状態情報を出力する（ｔ１＜ｔ２）。応答時間は各映像処理ＩＣで異なっても良い。つまり応答時間の長短で状態の深刻さを判別する。無論、マイコン２６が所定のコマンドを送って、そのコマンドに対する返答の内容で状態の深刻さを判別することも考えられる。
【００４４】
またマイコン関係では、レベル「１」が選択されると処理関数Ｘ，Ｙ，Ｚの何れかが処理されているときにその状態情報を出力し、レベル「２」が選択されると処理関数Ｘ，Ｙの何れかが処理されているときにその状態情報を出力し、レベル「３」が選択されると処理関数Ｘが処理されているときにその状態情報を出力する。処理関数Ｘ，Ｙ，Ｚのうち最も深刻なエラー時に実行される処理関数がＸ、その次に深刻なエラー時に実行される処理関数がＹ、その次に深刻なエラー時に実行される処理関数がＺである。無論、関数の種類や数は任意である。
【００４５】
ステップＳ１０４では、何れかの項目が選択入力されたか否かを判断する。この選択入力はリモコン１５０や操作パネル２８の操作により行われ、マイコン２６は、リモコン１５０からの赤外線信号を受け付けた赤外線Ｉ／Ｆ３０や操作パネル２８から操作に対応する信号を受信する。選択入力が行われると条件成立としてステップＳ１０６に進み、選択入力が行われないときは条件不成立としてステップＳ１０４を繰り返す。
【００４６】
そしてステップＳ１０６では、ステップＳ１０４で選択された項目に対応する設定をレジスタ２６ｄに記憶させて処理を終了する。以上、ステップＳステップＳ１００〜Ｓ１０６の処理を実行するマイコン２６が出力情報選択手段を構成する。
【００４７】
（３）状態情報取得処理： 
以下、図５〜図７を参照して状態情報を取得してポート３２に出力するマイコン２６の処理について説明する。図５はどの状態情報を出力する設定になっているかを判断する処理を示すフローチャート、図６はレベル別に状態情報を出力する設定になっているときの処理を示すフローチャート、図７は目的別に状態情報を出力する設定になっているときの処理を示すフローチャート、である。図５の処理は液晶テレビジョン１００の電源が投入されてマイコン２６が液晶テレビジョン１００の制御処理を実行している間は繰り返し実行されている。
【００４８】
図５の処理が開始されると、ステップＳ２００でレジスタ２６ｄからいずれの状態情報を出力するかの設定値を取得する。そしてステップＳ２０２で設定値が「ＮＯＲＭＡＬ」と「レベル別」と「目的別」の何れに対応する設定値であるかを判断する。「ＮＯＲＭＡＬ」に対応する設定値の場合はステップＳ２０４に進み、「レベル別」に対応する設定値の場合はステップｓ２０６に進み、「目的別」に対応する設定値の場合はステップＳ２０８に進む。
【００４９】
そしてステップＳ２０４に進むと、出力可能な（マイコン２６で取得されている）全ての状態情報をポート３２に出力する。無論、出力する情報が多い場合には、この出力する処理がマイコン２６の処理を妨げる可能性がある。従って「ＮＯＲＭＡＬ」の場合には、目的やレベルにこだわらずに、液晶テレビジョン１００の概略的な状態を把握できるような情報のみを出力するようにしても良い。
【００５０】
ステップＳ２０６では、図６のステップＳ３００〜Ｓ３１０の処理を実行する。まずステップＳ３００では、どのレベル以上の状態情報を出力する設定であるかをレジスタ２６ｄから取得する。そして、ステップＳ３０２では取得した状態情報のレベルがどのレベルに属するものであるかを判断する。
【００５１】
ステップＳ３０４では、ステップＳ３０２で判断したレベルが出力対象となるレベルであるか否かを判断する。出力対象となるレベルであれば条件成立としてステップＳ３０６に進み、出力バッファ（例えばＲＡＭ２６ｃの所定の領域）に格納する。一方、出力対象とならないレベルの場合は条件不成立としてステップＳ３０８に進む。
【００５２】
例えば、レジスタ２６ｄの設定がレベル「３」である場合、取得した状態情報がレベル「１」や「２」もしくはレベル「１」に満たないものである場合は、ステップＳ３０６を飛ばしてステップＳ３０８に進む。一方、取得した状態情報がレベル「３」の場合は、ステップＳ３０６に進んで取得した状態情報を出力バッファに格納してステップＳ３０８に進む。
【００５３】
ステップＳ３０８では、全ての（全種類の）状態情報についてステップＳ３０２の判断が終了したか否かを判断する。全てについて終了している場合は条件成立としてステップＳ３１０に進み、全てについて終了していない場合は条件不成立としてステップＳ３０２からの処理を繰り返す。
【００５４】
ステップＳ３１０では、出力バッファに格納された状態情報をポート３２に対して出力してレベル別出力処理を終了して、図５の処理に戻る。図５の処理に戻ると処理を終了し、所定時間経過後に再び図５の処理が開始される。
【００５５】
ステップＳ２０８では、図７のステップＳ４００〜Ｓ４１０の処理を実行する。まず、ステップＳ４００では何れの目的（種類）の状態情報を出力する設定であるかをレジスタ２６ｄから取得する。そしてステップＳ４０２では取得した状態情報の種類が何れの種類に分類されたものであるかを判断する。
【００５６】
ステップＳ４０４では、ステップＳ４０２で判断したレベルが出力対象の状態情報であるか否かを判断する。出力対象となる種類であれば条件成立としてステップＳ４０６に進み、出力バッファに格納する。一方、出力対象とならない種類であれば条件不成立としてステップＳ４０８に進む。
【００５７】
例えば、レジスタ２６ｄの設定が「電源関係」である場合、取得した状態情報が「バックライト電圧」や「一次電圧」や「二次電圧」である場合はステップＳ４０６に進んで取得した状態情報を出力バッファに格納してステップＳ４０８に進む。一方、取得した情報が映像処理ＩＣに関するものであったり「処理関数」の場合は、ステップＳ４０６を飛ばしてステップＳ４０８に進む。
【００５８】
そしてステップＳ４０８では、全ての（全種類の）状態情報についてステップＳ４０２の判断が終了したか否かを判断する。全てについて終了している場合は条件成立としてステップＳ４１０に進み、全てについて終了していない場合は条件不成立としてステップＳ４０２からの処理を繰り返す。
【００５９】
ステップＳ４１０では出力バッファに格納された状態情報をポート３２に対して出力して目的別出力処理を終了して、図５の処理に戻る。図５の処理に戻ると処理を終了し、所定時間経過後に再び図５の処理が開始される。以上、ステップＳ２００〜Ｓ２０８、Ｓ３００〜Ｓ３１０、Ｓ４００〜Ｓ４１０の処理を実行するマイコン２６が状態情報出力手段を構成する。
【００６０】
以下、上記構成からなる本実施形態の動作を説明する。
メンテナンス者や開発者が、リモコン１５０を操作して隠しコマンドを入力すると、液晶パネル２０には図３のように状態情報の出力内容を選択する画面が表示される。この画面でさらにリモコン１５０のを操作して「ＮＯＲＭＡＬ」にカーソルを合わせて選択する操作入力を行うと、全ての状態情報を出力する設定がレジスタ２６ｄに書き込まれる。するとポート３２には、全ての状態情報が出力されるため、ポート３２に接続されたＰＣ２００に全ての状態情報が取り込まれる。取り込まれた情報はＰＣ２００で実行される所定のアプリケーションに取得されて画面に表示され、この表示を見てメンテナンス者や開発者が液晶テレビジョン１００の状態を把握することができる。
【００６１】
また、図３の画面で「レベル３」を選択する操作入力を行うと、レベル３に該当する状態情報のみが出力されるようにレジスタ２６ｄに設定される。すると、状態情報の内容が図４の何れに該当するかが判断されて、レベル３に該当するものだけがポート３２に出力される。そのため、ポート３２に接続されたＰＣ２００の画面にはレベル３に該当する深刻度の高い情報のみが表示されることになる。従って、メンテナンス者や開発者は優先的に解決すべきエラー情報のみを確認できる。また、ポート３２に出力される情報が少ないため、マイコン２６の処理も低減されて液晶テレビジョン１００の安定性の向上にも寄与する。
【００６２】
また図３の画面で「電源関係」を選択する操作入力を行うと、電源に関係する状態情報のみが出力されるようにレジスタ２６ｄに設定される。すると、図４の中で電源関係に該当する状態情報だけがポート３２に出力される。そのためポート３２に接続されたＰＣ２００の画面には電源関係の情報のみが表示されることになる。従って、メンテナンス者や開発者はメンテナンスや調整を行いたい部位に関する情報のみを確認できる。また、ポート３２に出力される情報が少ないため、マイコン２６の処理も低減されて液晶テレビジョン１００の安定性の向上にも寄与する。
【００６３】
（４）まとめ： 
つまり、液晶テレビジョン１００において、マイコン２６は自身の処理関数の情報、映像処理ＩＣ１２，１４，１６，１８の応答情報、電源回路２４やインバータ回路２３の電圧ステータス等の状態情報を取得しており、これら取得した情報を目的別もしくはレベル別に分類する。そして、利用者が操作入力を行って出力する状態情報を目的もしくはレベルで指定することにより、何れかの目的に合致した状態情報のみ、もしくは何れかのレベル異常の状態情報のみをポート３２に対して出力する。これにより、ポート３２に出力される情報を選択して指定可能となる。
【００６４】
なお、本実施形態では電気電子機器として液晶テレビジョンを採用して説明したが、無論、ＣＲＴテレビジョンやプラズマテレビジョンであっても良いし、プロジェクタやリアプロジェクションテレビであっても良い。また、外部機器を接続可能な端子に対して機器を構成する各部の情報を出力するメンテナンスポートを備える電機電子機器であれば、家電機器、情報処理装置、映像再生装置、自動車の制御装置、等様々なものに適用可能である。
【００６５】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６６】
【図１】液晶テレビジョンの概略電気的構成を示すブロック図である。
【図２】出力する状態情報を選択するマイコンの処理を示すフローチャートである。
【図３】この処理において表示される選択画面の一例である。
【図４】各状態情報のレベルと種類の分類のしかたの一例である。
【図５】状態情報の出力設定を判断する処理を示すフローチャートである。
【図６】レベル別の出力設定における処理を示すフローチャートである。
【図７】目的別の出力設定における処理を示すフローチャートである。
【符号の説明】
【００６７】
１０…チューナ、１２，１４，１６，１８…映像処理ＩＣ、１４ａ…アナログ映像信号入力端子、１６ａ…デジタル映像信号入力端子、２０…液晶パネル、２２…バックライト、２３…インバータ回路、２４…電源回路、２６…マイコン、２６ｄ…レジスタ、２８…操作パネル、３０…赤外線Ｉ／Ｆ、３２…メンテナンスポート（ポート）、３４…ＩＩＣバス、１００…液晶テレビジョン、１５０…リモコン、２００…ＰＣ
【図１】
2008182575.tif 000003
【図２】
2008182575.tif 000004
【図３】
2008182575.tif 000005
【図４】
2008182575.tif 000006
【図５】
2008182575.tif 000007
【図６】
2008182575.tif 000008
【図７】
2008182575.tif 000009